(57)【要約】【課題】  実施の形態は、照明の演出効果を発揮させた場合でも光量不足の虞がなく、光源等が直接見えないように商品性を向上させることができる照明装置を提供する。【解決手段】  光源を収容する開口部を有する筐体と、前記開口部を閉塞する高光透過率の基礎拡散部と、前記基礎拡散部を挟んで前記光源の反対側に、追加拡散フィルタを着脱可能に保持する装着部とを具備する。【選択図】図１
2017174784.tif 000002
【特許請求の範囲】
【請求項１】
光源を収容する開口部を有する筐体と；
前記開口部を閉塞する高光透過率の基礎拡散部と；
前記基礎拡散部を挟んで前記光源の反対側に、追加拡散フィルタを着脱可能に保持する保持部を有する装着部と；
を具備することを特徴とする照明装置。
【請求項２】
前記保持部は、前記開口部の外縁部に着脱自在に設けられたフレーム部材と；
このフレーム部材の内側面に設けられ、前記追加拡散フィルタの挿脱を案内するガイドと；
前記ガイドの端部に位置し、前記追加拡散フィルタを通すための前記フレーム部材の内外を貫通するスリットと；
を具備することを特徴とする請求項１に記載の照明装置。
【請求項３】
前記装着部には、任意の角度位置で固定できるバーンドアが着脱可能に設けられていることを特徴とする請求項２に記載の照明装置。
【請求項４】
前記基礎拡散部の光透過率は７０〜８０％に設定され、前記基礎拡散部と前記追加拡散フィルタの光透過率の合計は４５〜５５％に設定されていることを特徴とする請求項１に記載の照明装置。
【発明の詳細な説明】
【技術分野】
【０００１】
本発明の実施形態は、照明装置に関する。
【背景技術】
【０００２】
テレビスタジオや舞台等の演出空間で使用するフラッドライト（照明装置）が知られている。一般的には開口部を有する箱状の器具本体に光源や制御基板等が収容されており、開口部から被写体を照射する構成を有している。
【０００３】
このようなフラッドライトでは、ベース照明として被写体にシャープな影を出すことは好ましくない。そのため、器具本体の開口部には、比較的透過率の低い拡散フィルタを装着して使用されるのが通常である。一方、使用時に演出の効果を有する任意の拡散フィルタを装着することを前提として、開口部に透明の保護板を装着したフラッドライトも知られている。
【先行技術文献】
【特許文献】
【０００４】
【特許文献１】特開２０１１−１２９３８１号公報
【発明の概要】
【発明が解決しようとする課題】
【０００５】
透過率の低い拡散フィルタを装着したフラッドライトは、照射ムラがなくなりシャープな影を出ないソフトな光になるという利点はあるが、照度が低下し、必要な明るさを確保するため多くの台数が必要となる。また、透明の保護板を装着したフラッドライトの場合は、照度は高いが、シャープな影とグレアが大きいことから、そのまま使用できず、必ず拡散フィルタを装着する必要があり、その都度、拡散フィルタを装着する必要があった。さらに、器具内部の光源や配線が直接見えることになり商品性が悪くなる。
【０００６】
上記従来構造のフラッドライト型の照明装置の場合、照明の演出効果を発揮させようとすると光量が不足したり、光量を十分にとるために透明のフィルタを用いると光源が直接見えるため、商品性が低下したりする等の課題がある。
【課題を解決するための手段】
【０００７】
実施形態の照明装置によれば、光源を収容する開口部を有する筐体と、前記開口部を閉塞する高光透過率の基礎拡散部と、前記基礎拡散部を挟んで前記光源の反対側に、追加拡散フィルタを着脱可能に保持する装着部とを具備する。
【発明の効果】
【０００８】
本実施形態によれば汎用性の高い照明装置を提供することができる。
【図面の簡単な説明】
【０００９】
【図１】図１は、第１の実施形態の照明装置の外観を示す側面図である。
【図２】図２は、第１の実施形態の照明装置の外観を示す正面図である。
【図３】図３は、第１の実施形態の照明装置の外観を示す平面図である。
【図４】図４は、第１の実施形態の照明装置の内部構造を示す側面図である。
【図５】図５は、第１の実施形態の照明装置の要部を示す分解斜視図である。
【図６】図６は、第１の実施形態の照明装置の要部を示す分解斜視図である。
【図７】図７は、第２の実施形態の照明装置の外観を示す正面図である。
【図８】図８は、第２の実施形態の照明装置のバーンドアを取り付けた状態を示す正面図である。
【発明を実施するための形態】
【００１０】
図１乃至図６は、第１の実施の形態を示す。図１は、第１の実施形態のフラッドライト型の照明装置１０の外観を示す側面図である。図２は、照明装置１０の外観を示す正面図である。図３は、照明装置の外観を示す平面図である。図４は、照明装置１０の内部構造を示す側面図である。図５は、照明装置１０の要部を示す分解斜視図である。図６は、照明装置１０の要部を示す分解斜視図である。
【００１１】
本実施形態のフラッドライト型の照明装置１０は、天井面（不図示）に取り付けられたブラケットＢによって角度調整自在に装着される吊り下げ型の照明器具である。照明装置１０は、テレビスタジオや舞台等のベース照明として用いられるものであり、通常の１ｋＷタイプのものである。
【００１２】
照明装置１０は、図１に示すように、ほぼ直方体状の金属製の筐体２０を有している。筐体２０の一方の面は開放され開口部３０が形成され、この開口部３０の対向面には底面部４０が形成されている。開口部３０には、後述する追加拡散フィルタＦ２及び不要な部分に照射される光を遮光するバーンドア６０を取り付けるための装着部５０が着脱自在に取り付けられている。
【００１３】
筐体２０の底面部４０の内側面４０ａには、ＬＥＤ光源２２，２２が配置されている。このＬＥＤ光源２２，２２の周囲には反射板２３が配置されている。筐体２０の側壁側には、ＬＥＤ光源２２，２２をそれぞれ駆動する制御回路基板２４，２４が配置されている。
【００１４】
開口部３０には、開口に沿って設けられた取付枠３１と、この取付枠３１の内側に取り付けられたサポート部材３２と、このサポート部材３２に支持され、開口部３０を閉塞する高光透過率（例えば、８０〜９０％）の基礎拡散部Ｆ１が取り付けられている。サポート部材３２及び基礎拡散部Ｆ１はネジ等で着脱自在に開口部３０に取り付けられている。基礎拡散部Ｆ１は、ＬＥＤ光源２２、反射板２３、制御回路基板２４、及び、内部配線の保護、絶縁を兼ねると共に６０〜７０℃程度の熱に耐えられるポリカーボネイトやポリエステル等の樹脂製のものが好ましい。
【００１５】
底面部４０にはＬＥＤ光源２２，２２で発生した熱を外部に放出するヒートシンク４１が配置されている。
【００１６】
装着部５０は、開口部３０の外縁部に着脱自在に設けられた四角枠状で断面Ｌ字型のフレーム部材５１を有している。フレーム部材５１の対向する左右２辺の内側面には、保持部であるガイド５２、スリット５３及び抜止金具５４が形成されている。このガイド５２は、追加拡散フィルタＦ２の挿脱を案内する溝状で形成されており、このガイド５２の上端部に位置し、追加拡散フィルタＦ２を通すためにフレーム部材５１を上下方向にスリット５３が貫通形成され、スリット５３から追加拡散フィルタＦ２が抜け落ちるのを防止するための抜止金具５４が備えられている。フレーム部材５１の各辺に設けられた取付孔５１ａには、平板状のバーンドア（遮光板）６０が蝶番６１を介して着脱可能に設けられている。蝶番６１は、任意の角度位置で固定できる機能を有している。図３中二点鎖線で示すバーンドア６０は任意の角度位置で固定した状態を示している。
【００１７】
追加拡散フィルタＦ２は、スリット５３からガイド５２に挿入する形状、すなわち、例えば、薄板状あるいは紙状のものであり、様々な照明効果を付加できる効果を有している。熱の影響を受けないためポリエステル等の樹脂材製が好ましい。また、追加拡散フィルタＦ２の光透過率は、基礎拡散部Ｆ１と合計して例えば、４５〜５５％となるように設定されている。
【００１８】
なお、基礎拡散部Ｆ１と追加拡散フィルタＦ２のそれぞれの光透過率は次のような理由から設定されている。すなわち、基礎拡散部Ｆ１は、照度の低下を抑えつつ、シャープな影とグレアを防止するための最大の光透過率を有するものとする。さらに、筐体２０の内部が外部から見通せないようにするため光透過率を９０％以下とすることが好ましい。
【００１９】
バーンドア６０は、着脱可能な構成であるため、不要なバーンドアを取り外すことで、軽量化することができる。また、必要なスペースを最小化することで配置の自由度が向上する。このため、発光面が大きくなり、バーンドア自体も大きくなった場合でも、使い勝手が向上する。
【００２０】
図７は、第２の実施形態の照明装置１０Ａの外観を示す正面図である。図８は、第２の実施形態の照明装置１０Ａにバーンドア６０を取り付けた状態を示す正面図である。図７，８において、図１〜図６と同一機能部分には同一符号を付し、その詳細な説明は省略する。照明装置１０Ａは、通常のハロゲン１ｋＷ相当タイプの光量の２倍となるハロゲン２ｋＷ相当タイプの照明装置である。このような照明装置１０Ａにおいても、照明装置１０と同様の効果を得ることができる。
【００２１】
なお、照明装置１０の上下のバーンドア６０が、照明装置１０Ａの左右のバーンドア６０と共通となる大きさ・形状とすることも可能である。これにより、消費電力や大きさ、形状の異なる照明器具に対してもバーンドアの大きさ・形状、取付方法が共通化でき、さらに４面ともに同じ大きさ・形状となれば運用、保管の使い勝手が向上する。
【００２２】
本実施形態によれば、光透過率の高い基礎拡散部Ｆ１を装着して、照度の低下を抑え、シャープな影とグレアを防止できると同時に、商品性を向上させることができる。基礎拡散部Ｆ１に追加して任意の追加拡散フィルタＦ２を装着できることでよりソフトな光を作ることができ、また、簡単に交換可能であることから演出照明の表現範囲を広げることが可能となる。
【００２３】
また、保持部が、開口部の外縁部に着脱自在に設けられたフレーム部材の内側面に設けられ、追加拡散フィルタＦ２の挿脱を案内するガイド５２を有し、このガイド５２の端部に位置し、追加拡散フィルタＦ２を通すためのフレーム部材５１の内外を貫通するスリット５３を有しているので、追加拡散フィルタＦ２を容易に交換できるという効果がある。
【００２４】
また、フレーム部材５１には、任意の角度位置で固定できるバーンドア６０が着脱可能に設けられているため、不要なバーンドア６０を取り外し、軽量化及び設置の自由化が可能となる。
【００２５】
さらに、基礎拡散部Ｆ１の光透過率は７０〜８０％に設定され、基礎拡散部Ｆ１と追加拡散フィルタＦ２の光透過率の合計は４５〜５５％に設定されていることで、照明対象となるスタジオや舞台の照度を適当なものに調整することができる。
【００２６】
本発明の実施形態を説明したが、この実施形態は、例として提示したものであり、発明の範囲を限定することは意図していない。例えば、バーンドアは、遮光用途に用いているが、照明器具の光量を増すために、反射材を使用し反射板としても利用する形態も含む。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１０，１０Ａ…照明装置、２０…筐体、２２…光源、２３…反射板、２４…制御回路基板、３０…開口部、３１…取付枠、３２…サポート部材、４０…底面部、４１…ヒートシンク、５０…装着部、５１…フレーム部材、５２…ガイド、５３…スリット、５４…抜止金具、６０…バーンドア、６１…蝶番。
【図１】
2017174784.tif 000003
【図２】
2017174784.tif 000004
【図３】
2017174784.tif 000005
【図４】
2017174784.tif 000006
【図５】
2017174784.tif 000007
【図６】
2017174784.tif 000008
【図７】
2017174784.tif 000009
【図８】
2017174784.tif 000010